(57)【要約】【課題】ケーキコースに使用者が粉落としする工程を設け、ケーキコースの調理シーケンスを略一定とする自動製パン機を提供することを目的とする。【解決手段】自動製パン機本体１と、ヒータ３とパン焼き型４を内部に有しパンを焼成する焼成室２と、ベルトとプーリーにより動力を伝達させ練り羽根７を回転させるモータ５と、焼成室２を開閉する蓋６と、パン焼き型４の内部に有ってパン生地を捏ね上げる練り羽根７と、焼成室２内の温度を検知するサーミスタ８と、サーミスタ８の信号を受けてヒータ３やモータ５等を制御する制御手段９と、入力装置１０と、表示装置１１と、報知装置１２とを有し、ケーキコースの調理シーケンスには、使用者により行われる前記粉落とし工程を設け、粉落とし工程に要した時間により、次の工程以降の工程で時間を調整して、ケーキコースの調理シーケンスの時間を略一定の構成としたものである。【選択図】図１
2005118260.tif 000002
【特許請求の範囲】
【請求項１】
ヒータを有する焼成室と、前記焼成室内に着脱自在に装着しうるパン焼き型と、前記パン焼き型内に設けられモータにより駆動される練り羽根と、前記ヒータや前記モータを制御する制御手段と、前記制御手段によって制御される製パン工程の種類を選択する入力装置と、選択された製パンコースや調理終了時刻等の時間を表示する表示装置と、製パンコースが終了したことを知らせる報知装置とを備え、前記製パンコース内にはケーキコースを有し、前記ケーキコースの調理シーケンスには、二つの練り工程の間で使用者により行われる前記パン焼き型の側面に付着した粉を落とす粉落とし工程を有し、前記粉落とし工程が終了した時には、前記入力装置を操作して、次の工程に移行して、前記粉落とし工程に要した時間により、次の工程以降の工程で時間を調整して、調理シーケンスの時間を略一定とした自動製パン機。
【請求項２】
粉落とし工程中に、入力装置を操作しなくても、所定時間後には、自動的に、次の工程に移行すると共に、表示装置に表示している調理終了時刻を変更する請求項１記載の自動製パン機。
【請求項３】
焼成室を開閉する蓋に蓋開閉検知装置を備え、粉落とし工程中に、蓋が開いていると検知している間は、次の工程に移行しない請求項２記載の自動製パン機。
【請求項４】
粉落とし工程中に、所定時間経過しても蓋が閉じない場合には、報知装置にて、蓋を閉じることを促すための報知を行う請求項３記載の自動製パン機。
【請求項５】
表示装置に調理終了時刻の変更を知らせるようにした請求項２〜４のいずれか１項に記載の自動製パン機。
【請求項６】
所定時間後には、自動的に、次の工程に移行する前に、報知装置にて、粉落とし工程が終了することを知らせる請求項２〜５のいずれか１項に記載の自動製パン機。
【請求項７】
所定時間後には、自動的に、次の工程に移行する前に、表示装置にて、粉落とし工程が終了することを知らせる請求項２〜６のいずれか１項に記載の自動製パン機。
【発明の詳細な説明】
【技術分野】
【０００１】
本発明は一般家庭で用いられる自動製パン機のケーキコースの調理シーケンスにおいて、パン焼き型の側面に付着した粉を落とす粉落とし工程を有するものに関する。
【背景技術】
【０００２】
従来、この種の自動製パン機は、製パンコースのなかにケーキコースを搭載しているものがある（例えば、特許文献１参照）。
【０００３】
図１は、特許文献１に記載された従来の自動製パン機を示すものである。図１に示すように、本体１と、焼成室２と、ヒータ３と、パン焼き型４と、モータ５と、蓋６と、練り羽根７と、サーミスタ８と、制御手段９と、入力装置１０と、表示装置１１と、報知装置１２とから構成されている。
【特許文献１】特開２００３−０５６８６３号公報（第７項、第７図）
【発明の開示】
【発明が解決しようとする課題】
【０００４】
しかしながら、前記従来の構成では、ケーキコースを備えられているもののパン焼き型にケーキ生地が付着して焼き上がることから粉や材料が残りやすく、ケーキの外観を美しく仕上げることができないという課題を有していた。
【０００５】
本発明は、前記従来の課題を解決するもので、パン焼き型の側面に付着した粉を落とす粉落とし工程をケーキコースの調理シーケンスを有し、使用者による粉落とし工程を追加するとともに、ケーキコースの調理時間を略一定とした自動製パン機を提供することを目的とする。
【課題を解決するための手段】
【０００６】
前記従来の課題を解決するために、本発明の自動製パン機のケーキコースは、二つの練り工程の間で、使用者によって行われるパン焼き型の側面に付着した粉を落とす粉落とし工程を有し、その粉落とし工程に要した時間により、次の工程以降の工程で時間を調整して、調理時間を粉落とし時間に拘わらず一定としたものである。
【０００７】
これによって、粉落とし工程時間が短い場合には、粉落とし工程以降の工程の時間を長く、粉落とし工程時間が長い場合には、粉落とし工程以降のある工程を短くすることで、ケーキコースの調理シーケンスの時間が略一定となる。
【発明の効果】
【０００８】
本発明の自動製パン機は、ケーキコースにパン焼き型の側面に付着した粉を落とす粉落とし工程を設け、その工程にかかる時間を以降の工程で調整することで、粉落とし工程を設けても、ケーキコースの調理シーケンス時間を略一定とすることができる。
【発明を実施するための最良の形態】
【０００９】
第１の発明は、ヒータを有する焼成室と、前記焼成室内に着脱自在に装着しうるパン焼き型と、前記パン焼き型内に設けられモータにより駆動される練り羽根と、前記ヒータや前記モータを制御する制御手段と、前記制御手段によって制御される製パン工程の種類を選択する入力装置と、選択された製パンコースや調理終了時刻等の時間を表示する表示装置と、製パンコースが終了したことを知らせる報知装置とを備え、前記製パンコースはケーキコースを有し、前記ケーキコースの調理シーケンスには、二つの練り工程の間で使用者により行われる前記パン焼き型の側面に付着した粉を落とす粉落とし工程を有し、前記粉落とし工程が終了した時には、前記入力装置を操作して、次の工程に移行して、前記粉落とし工程に要した時間により、次の工程以降の工程で時間を調整して、調理シーケンスの時間を略一定とした自動製パン機とすることにより、ケーキの出来栄えを良くする粉落とし工程を設けて、その粉落としに要した時間を次の工程以降で時間調整することで、粉落とし工程を設けてもケーキコースの調理時間を略一定とすることができる。
【００１０】
第２の発明は、粉落とし工程中に、入力装置を操作しなくても、第２の所定時間後には、自動的に、次の工程に移行すると共に、表示装置に表示している調理終了時刻を変更する請求項１記載の自動製パン機とすることにより、ケーキの出来栄えを良くする粉落とし工程において、入力装置の操作をしない場合でも、調理シーケンスを自動的に再開して、その遅れた時間の表示を変更することで、使用者は戸惑い無く、でき上がり時刻を知ることができる。
【００１１】
第３の発明は、焼成室を開閉する蓋に蓋開閉検知装置を備え、粉落とし工程中に、蓋が開いていると検知している間は、次の工程に移行しない第２の発明の自動製パン機とすることにより、ケーキの出来栄えを良くする粉落とし工程において、使用者が粉落としを行うために、蓋を開けている場合には、粉落とし工程の最大時間となっても、調理シーケンスを再開しないので、蓋が開いている焼成室内の温度を上手く制御できない状態での調理シーケンスの再開を行わないので、ケーキの失敗を避けることができる。
【００１２】
第４の発明は、粉落とし工程中に、第２の所定時間経過しても蓋が閉じない場合には、報知装置にて、蓋を閉じることを促すための報知を行う第３の発明の自動製パン機とすることにより、ケーキの出来栄えを良くする粉落とし工程において、粉落としを終了してから、蓋を閉めるのを忘れた場合に、報知装置によって、蓋が開いていることを使用者に知られることで、でき上がり時間を大きく遅らせることなくケーキを作ることができる。
【００１３】
第５の発明は、表示装置に調理終了時刻の変更を知らせるようにした第２〜４の発明のいずれか１つの自動製パン機とすることにより、ケーキの出来栄えを良くする粉落とし工程において、使用者が粉落とし動作を行わなかった場合に、少し遅れて調理シーケンスの再開と共に、でき上がり時刻の表示を変更することで、使用者は、改めてケーキのでき上がり時刻を知ることができる。
【００１４】
第６の発明は、第２の所定時間後には、自動的に次の工程に移行する前に、前記報知装置にて、粉落とし工程が終了することを知らせる第２〜５の発明のいずれか１つに記載の自動製パン機とすることにより、ケーキの出来栄えを良くする粉落とし工程の粉落とし動作を行っている場合に、調理シーケンスが自動的に再開する前に、報知装置により報知することで、使用者は、調理シーケンスの再開を判断して、蓋を閉めて調理シーケンスの再開の準備をすることができる。
【００１５】
第７の発明は、第２の所定時間後には、自動的に次の工程に移行する前に、前記表示装置にて、前記粉落とし工程が終了することを知らせる第２〜６の発明のいずれか１つの自動製パン機とすることにより、ケーキの出来栄えを良くする粉落とし工程の粉落とし動作を行っている場合に、調理シーケンスが自動的に再開する前に、表示装置により報知することで、使用者は、調理シーケンスの再開を判断して、蓋を閉めて調理シーケンスの再開の準備をすることができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における自動製パン機の概略断面図を示すものであり、図２は、ケーキコースの調理シーケンスを示したものであり、図３は、入力装置と表示装置の表示図とを示したものであり、図４は、ケーキコース設定から調理中までの入力装置と表示装置の表示図を示したものである。
【００１８】
図１において、１は自動製パン機本体、２はヒータ３とパン焼き型４を内部に有しパンを焼成する焼成室、５はベルトとプーリーにより動力を伝達させ練り羽根７を回転させるモータ、６は焼成室２を開閉する蓋、７はパン焼き型４の内部に有ってパン生地を捏ね上げる練り羽根、８は焼成室２内の温度を検知するサーミスタ、９はサーミスタ８の信号を受けてヒータ３やモータ５等を制御する制御手段９であり、それぞれのメニューコースの調理シーケンスも記憶している。１０はメニューコースの選択等を行う入力装置で、１１は選択しているメニューコースやでき上がり時刻等を表示する表示装置で、１２はメニューコースの終了等を知らせる報知装置である。
【００１９】
図２において、調理がスタートすると、まず前練１（１）工程がスタートして、サーミスタ８の検知温度が２７℃より低い場合には、ヒータ３を通電率１０％で駆動する。検知温度が２７℃以上の場合には、ヒータ３への通電をオフする。また、モータ５を断続的に駆動して、練り羽根７を回転させて、パン焼き型４内の材料を捏ね上げる。１０分経過すると、次の粉落とし工程（２）に移行する。この工程では、ヒータ３やモータ５の駆動は行わない。使用者が、パン焼き型４側面に付着した粉を落とす為の工程であり、この工程を行うことで見栄えの良いケーキを作るこができる。また、終了すると、入力装置１０を操作して、次の練り２（３）工程に移行する。この工程も練り１（１）工程と同様にヒータ３とモータ５を駆動する。５分経過すると次のねかし（４）工程に移行する。ねかし（４）工程では、ヒータ３やモータ５の駆動は行わない。ここでは、先ほどの粉落とし（２）工程に掛かった時間（ｔ２）から５分の時間を減算した時間の工程となる。すなわち（５−ｔ２）分経過すると、焼き上げ（５）工程に移行する。焼き上げ（５）工程では、サーミスタ８の検知温度が１５０℃に達するまでは、ヒータ３を通電率１００％で駆動する。サーミスタ８の検知温度が１５０℃に達すると、ヒータ３への通電率４０％で駆動する。この工程が６０分経過すると、ケーキコースの調理シーケンスが終了となる。
【００２０】
図３において、２０は液晶装置（以下ＬＣＤと呼ぶ）で、全表示内容を表示している状態となっている。２１はＬＥＤで、調理シーケンスの動作中には点灯状態、調理シーケンスが終了した時には点滅状態、それ以外の場合には消灯状態となり自動製パン機の動作状態を示している。２２は、押しボタンスイッチで、メニュー選択のためのメニューボタン、予約調理のための予約ボタン、でき上がり時刻設定のための時および分ボタン、調理シーケンスのスタートや停止を行うためのスタート／切りボタンとが備わっている。
【００２１】
まず、パン焼き型４内に２ｃｍ角に切ったバター１１０ｇを入れ、続いて、砂糖１００ｇ、溶いた卵２個、ベーキングパウダー５ｇを入れ、最後にふるった薄力粉１８０ｇを入れる。材料が入ったパン焼き型４を焼成室２内にセットして、蓋６を閉める。入力装置と表示装置は、図４（１）に示すようにＬＣＤ２０に現在時刻の１０時０分を表示している。この状態から、押しボタンスイッチ２２のメニューボタンを３回押して、ケーキコースを選択する。ここで、調理時間が、１時間２０分となっているので、（２）に示すようにＬＣＤ２０にでき上がり時刻である１１時２０分の表示とケーキ選択の表示とを行っている。次に、押しボタンスイッチ２２のスタート／切りボタンを押すと、調理シーケンスがスタートする。すると、（３）に示すようにＬＥＤ２１が点灯状態に切り替わり、ＬＣＤ２０に粉落としまでの残り時間が表示される。１０分が経過すると、まず、報知装置１２によりブザー報知をしてから、（４）に示すようにＬＣＤ２０に、粉落としの文字を点滅表示にして、時間表示を消去する。また、ＬＥＤ２１も消灯となる。ここで、使用者は、蓋６を空けて、パン焼き型４内の側面に付着した粉をゴムベラなどを使用して落とす。粉落としが終了すると、押しボタンスイッチ２２のスタート／切りボタンを押して、調理シーケンスを再開する。再開すると、（５）に示すようにＬＣＤ２０に調理開始前のでき上がり時刻である１１時２０分を表示して粉落としの文字を消去する。またＬＥＤ２１も点灯となる。ここで、（４）の粉落とし中に使用者が粉落としを行わない場合には、最大１５分まで待機して、１５分経過しても押しボタンスイッチ２２のスタート／切りボタンが押されない場合には、自動的に調理シーケンスが再開される。その場合には、調理シーケンスが再開される前に、報知装置１２にて、調理が再開する報知を行うと共に、（６）に示すようにＬＣＤ２０に練りの文字を点滅表示にして粉落としの文字を点灯表示にする。またＬＥＤ２１も点灯となる。その後（７）に示すようにでき上がり時刻に１０分加算した時刻である１１時３０分を表示して、でき上がり時刻の変更があったことを示すでき上がり時刻変更の文字も表示する。
【００２２】
このように、まず、粉落とし工程を使用者が行った場合には、その工程に要した時間と後のねかし工程の合計の工程時間を５分にしているので、粉落とし工程を設けた調理シーケンスでも調理時間を１時間２０分の一定の時間にすることができる。
【００２３】
さらに、利用者が自動製パン機の近くにいないことにより粉落とし工程を終えない場合にでも、１５分の待機の後、報知装置によりブザー報知後に、自動的に調理が再開することで、突然モータ５が回りだしたりして、利用者が驚くこともない。また、でき上がりの時刻が変更になっていることをすぐに理解することができる。
【００２４】
尚、この実施の形態１での調理シーケンスの時間や温度を決めているが、この数値は、本体構成によって決まるものでこの数値に限定しているものではない。
【００２５】
さらに、粉落とし工程での時間を０〜５分で、最大待機時間を１５分としているがこれらの時間もこの時間に限定しているものではない。
【００２６】
（実施の形態２）
図５は、本発明の第２の実施例の形態の自動製パン機の概略断面図である。実施の形態１と同一である物に対しては、同じ符号を付して説明を省略する。
【００２７】
図５において、３０は蓋の開閉を検知する蓋開閉検知装置となっている。
【００２８】
粉落とし（２）工程で、使用者が蓋６を開けて、パン焼き型４内に付着した粉をゴムベラなどを使って落としている場合に、最大工程時間の１５分となると、報知装置１２により蓋６を閉じることを知らせる報知を行う。そこで、蓋６を閉じなければ、調理シーケンスの再開は行わない。蓋６を閉じると、調理シーケンスが再開される。さらに、蓋６が１時間経過しても閉じられない場合には、調理シーケンスの再開を残念して、初期状態に戻る。
【００２９】
尚、この実施の形態２での粉落とし工程の最大時間を１５分としているが、この時間は、ある程度調理シーケンスの動作を再開しても問題ない時間としているが、この時間に限定しているものではない。
【産業上の利用可能性】
【００３０】
以上のように、本発明にかかる自動製パン機は、ケーキコースにパン焼き型の側面に付着した粉を落とす粉落とし工程を設け、その工程にかかる時間を以降の工程で調整することで、粉落とし工程を設けても、ケーキコースの調理シーケンス時間を略一定とすることができるので、自動製パン機にかかわらず、調理シーケンスの工程内に使用者による作業が含む工程等の用途にも適用できる。
【図面の簡単な説明】
【００３１】
【図１】従来と本発明の実施の形態１における自動製パン機の概略断面図
【図２】本発明の実施の形態１と２におけるケーキコースの調理シーケンスを示す図
【図３】本発明の実施の形態１における入力装置と表示装置の表示図
【図４】本発明の実施の形態１におけるケーキコース設定から調理中までの入力装置と表示装置の表示図
【図５】本発明の実施の形態２における自動製パン機の概略断面図
【符号の説明】
【００３２】
１  本体
２  焼成室
３  ヒータ
４  パン焼き型
５  モータ
６  蓋
７  練り羽根
８  サーミスタ
９  制御手段
１０  入力装置
１１  表示装置
１２  報知装置
２０  ＬＣＤ
２１  ＬＥＤ
２２  押しボタンスイッチ
３０  蓋開閉検知装置
【図１】
2005118260.tif 000003
【図２】
2005118260.tif 000004
【図３】
2005118260.tif 000005
【図４】
2005118260.tif 000006
【図５】
2005118260.tif 000007